(57)【要約】【課題】忌避剤の薬効成分が通る孔部の上に簡易に庇を設けることのできる、忌避剤を収容する忌避剤容器を提供すること。合わせて、その忌避剤容器を使用して忌避剤を効率的に用いることのできる忌避方法を提供すること。【解決手段】忌避剤容器１０は、忌避剤２０が収容される内部空間を外部空間に繋ぐ複数の孔部１１ｃ，１１ｄが設けられ、孔部を塞ぐ２つのシール１３を備える。シールは、忌避剤を使用しない状態においては孔部を塞いで忌避剤を封止し、使用する際にはシート１１から剥離し曲げてシートに再付着することで、シールを孔部の庇として使用することができる。忌避方法は、忌避剤の蒸散に伴い薬効成分が減少するに従って、多くのシール部材を剥離して蒸散を加速する。長期にわたってほぼ均等な濃度で薬効成分を蒸散させることができる。【選択図】図６
2016137932.tif 000002
【特許請求の範囲】
【請求項１】
忌避剤を収容する忌避剤容器であって、
前記忌避剤が収容される内部空間を形成し、該内部空間を外部空間に繋ぐ少なくとも１つの孔部と、該内部空間以外の箇所にある１つの吊下穴と、が設けられた本体と、
前記吊下穴を棒状体に掛けた状態における垂直方向及び水平方向について、前記本体の前記孔部の垂直方向の上側に位置する中央部、該中央部を水平方向に挟み、前記本体の外表面に着脱可能に付着する２つの第１付着部、及び前記本体の外表面に付着して前記孔部を塞ぐ第２付着部を含み、前記中央部と前記２つの第１付着部のそれぞれとの間で曲げ可能なシール部材と、
を備えることを特徴とする、忌避剤容器。
【請求項２】
前記シール部材は、前記中央部と前記２つの第１付着部のそれぞれとの間にスリットを有することを特徴とする、請求項１に記載の忌避剤容器。
【請求項３】
前記中央部は、前記第１及び第２付着部より強く前記本体の外表面に付着されることを特徴とする、請求項１又は２に記載の忌避剤容器。
【請求項４】
前記中央部及び前記第１付着部は、前記シール部材の両面が前記本体の外表面に着脱可能に付着し、
前記第２付着部は、前記シール部材の片面のみが前記本体の外表面に着脱可能に付着することを特徴とする、請求項１〜３のいずれか一項に記載の忌避剤容器。
【請求項５】
前記孔部は、前記本体に前記垂直方向に複数設けられ、
前記複数の孔部のそれぞれを塞ぐ前記第２付着部をそれぞれ含む前記シール部材を複数備えることを特徴とする、請求項１〜４のいずれか一項に記載の忌避剤容器。
【請求項６】
忌避剤の入った請求項１〜５のいずれか一項に記載の忌避剤容器を使用し、
前記吊下穴を棒状体に掛け、
前記第１及び第２付着部を前記本体の外表面から剥離し、
前記２つの第１付着部を、前記中央部と前記第１付着部の境界の下端を中心に回転して、剥離前の付着位置よりも下方の位置において前記本体の外表面に付着させることを特徴とする、忌避方法。
【請求項７】
忌避剤の入った請求項５に記載の忌避剤容器を使用し、
前記吊下穴を棒状体に掛け、
複数の前記シール部材について、（１）前記第１及び第２付着部を前記本体の外表面から剥離すること、及び（２）前記２つの第１付着部を、前記中央部と前記第１付着部の境界の下端を中心に回転して、剥離前の付着位置よりも下方の位置において前記本体の外表面に付着させること、を含む開孔処理を行う忌避方法であって、
１つの前記シール部材についての前記開孔処理から次の前記シール部材についての前記開孔処理までに５日以上の間隔を持つことを特徴とする、忌避方法。
【発明の詳細な説明】
【技術分野】
【０００１】
本発明は、忌避剤を収容する忌避剤容器、及びその忌避剤容器を使用する忌避方法に関する。
【背景技術】
【０００２】
田畑において栽培される農作物等が、猪、鹿、兎等の害獣によって荒らされることがある。そこで、害獣が農作物等に寄りつくのを防止するために、害獣が嫌う匂いを発する忌避剤を使用するのが効果的であることが知られている。
【０００３】
そこで、特許文献１では、忌避剤を収容し、通気孔（孔部）が設けられた袋状の忌避剤容器が開示されている。忌避剤容器を、田畑に設置することで、収容された忌避剤が通気孔を介して容器外に蒸散し、害獣の寄付きを防止することができる。しかし、容器は常時田畑に設置するものであるため、雨水等が通気孔から容器内に入り、忌避剤の薬効成分が薄くなるという問題がある。また、忌避剤の蒸散に伴い薬効成分が減少するという問題もある。
【先行技術文献】
【特許文献】
【０００４】
【特許文献１】特開２０１４−１３９０８８号公報
【発明の概要】
【発明が解決しようとする課題】
【０００５】
本発明は、忌避剤の薬効成分が通る孔部の上に簡易に庇を設けることのできる、忌避剤を収容する忌避剤容器を提供することを課題とする。合わせて、その忌避剤容器を使用して忌避剤を効率的に用いることのできる忌避方法を提供することを副次的課題とする。
【課題を解決するための手段】
【０００６】
本発明の忌避剤容器は、
忌避剤を収容する忌避剤容器であって、v
前記忌避剤が収容される内部空間を形成し、該内部空間を外部空間に繋ぐ少なくとも１つの孔部と、該内部空間以外の箇所にある１つの吊下穴と、が設けられた本体と、
前記吊下穴を棒状体に掛けた状態における垂直方向及び水平方向について、前記本体の前記孔部の垂直方向の上側に位置する中央部、該中央部を水平方向に挟み、前記本体の外表面に着脱可能に付着する２つの第１付着部、及び前記本体の外表面に付着して前記孔部を塞ぐ第２付着部を含み、前記中央部と前記２つの第１付着部のそれぞれとの間で曲げ可能なシール部材と、
を備えることを特徴とする。
【０００７】
これによれば、シール部材は、忌避剤を使用しない状態において、第２付着部を本体の外表面に付着することで本体に設けられた孔部を塞いで忌避剤を密封し、使用する際に、第２及び第１付着部を剥離し、中央部と２つの第１付着部のそれぞれとの間で曲げることで、中央部に対して２つの第１付着部のそれぞれを含む両端を孔部に向けて曲げ、その状態を維持して第１付着部を本体の外表面に付着することで、シール部材を孔部の庇として使用することができる。
【０００８】
本発明の忌避剤容器は、
前記シール部材は、前記中央部と前記２つの第１付着部のそれぞれとの間にスリットを有することを特徴とする。
【０００９】
これによれば、シール部材を庇の形に成形することが容易にできる。
【００１０】
本発明の忌避剤容器は、
前記中央部は、前記第１及び第２付着部より強く前記本体の外表面に付着されることを特徴とする。
【００１１】
これによれば、中央部を外表面に付着したまま、簡便かつ確実に、シール部材を庇の形に成形することができる。
【００１２】
本発明の忌避剤容器は、
前記中央部及び前記第１付着部は、前記シール部材の両面が前記本体の外表面に着脱可能に付着し、
前記第２付着部は、前記シール部材の片面のみが前記本体の外表面に着脱可能に付着することを特徴とする。
【００１３】
これによれば、第２付着部の本体の外表面に付着しない側の面を下側にするように庇を成形することで、風圧等によって庇が本体に押し付けられても庇が本体に付着してしまうことがないようにすることができる。
【００１４】
本発明の忌避剤容器は、
前記孔部は、前記本体に前記垂直方向に複数設けられ、
前記複数の孔部のそれぞれを塞ぐ前記第２付着部をそれぞれ含む前記シール部材を複数備えることを特徴とする。
【００１５】
これによれば、適当数のシール部材を剥離してその適当数の孔部を開けることで、孔部から散布される忌避剤の量を調整することができるとともに、剥離した適当数のシール部材をそれぞれ開けられた孔部の庇として使用することができる。忌避剤の蒸散に伴い薬効成分が減少することに対応して、シール部材を段階的に剥離していくことも可能である。
【００１６】
本発明の忌避方法は、
忌避剤の入った上記の忌避剤容器を使用し、
前記吊下穴を棒状体に掛け、
前記第１及び第２付着部を前記本体の外表面から剥離し、
前記２つの第１付着部を、前記中央部と前記第１付着部の境界の下端を中心に回転して、剥離前の付着位置よりも下方の位置において前記本体の外表面に付着させることを特徴とする。
【００１７】
これによれば、シール部材を庇の形に成形して、容器内の忌避剤を薄めずに忌避を行うことができる。
【００１８】
本発明の忌避方法は、
忌避剤の入った上記の忌避剤容器（孔部が垂直方向に複数設けられたものに限る）を使用し、
前記吊下穴を棒状体に掛け、
複数の前記シール部材について、（１）前記第１及び第２付着部を前記本体の外表面から剥離すること、及び（２）前記２つの第１付着部を、前記中央部と前記第１付着部の境界の下端を中心に回転して、剥離前の付着位置よりも下方の位置において前記本体の外表面に付着させること、を含む開孔処理を行う忌避方法であって、
１つの前記シール部材についての前記開孔処理から次の前記シール部材についての前記開孔処理までに５日以上の間隔を持つことを特徴とする。
【００１９】
これによれば、忌避剤の蒸散に伴い薬効成分が減少するに従って、多くのシール部材を剥離して蒸散を加速する。長期にわたってほぼ均等な濃度で薬効成分を蒸散させることができる。
【発明の効果】
【００２０】
本発明の忌避剤容器によれば、忌避剤が通る孔部の上に簡易に庇を設けることが可能となる。
【００２１】
本発明の忌避方法によれば、容器内の忌避剤を薄めずに、長期にわたってほぼ均等な濃度で薬効成分を蒸散させて忌避を行うことが可能となる。
【図面の簡単な説明】
【００２２】
【図１】図１は、忌避剤容器の構成を示す斜視図である。（実施例１）
【図２】図２は、忌避剤容器を構成する第１シートの構成を示す図である。  （実施例１）
【図３】図３（Ａ）及び（Ｂ）は、それぞれ、孔部を塞ぐシールの表面及び裏面を示す図である。（実施例１）
【図４】図４（Ａ）〜（Ｃ）は、シールを用いて庇を組み立てる方法を説明するための図である。（実施例１）
【図５】図５（Ａ）及び（Ｂ）は、忌避剤容器の使用方法を説明するための図である。（実施例１）
【図６】図６は、使用状態にある忌避剤容器の構成を示す斜視図である。（実施例１）
【図７】図７は、別の使用状態にある忌避剤容器の構成を示す斜視図である。（実施例１）
【図８】図８（Ａ）及び（Ｂ）は、それぞれ、孔部を塞ぐシールの表面及び裏面を示す図である。（実施例２）
【図９】図９は、シールを用いて庇を組み立てる方法を説明するための図である。（実施例２）
【図１０】図１０（Ａ）〜（Ｄ）は、蒸散量の時間変化を示す蒸散量グラフを示す図である。（実施例３）
【発明を実施するための形態】
【００２３】
以下、本発明の実施例について説明する。実施例１は忌避剤容器の構造を、実施例２は忌避方法を説明するものである。
【実施例１】
【００２４】
図１に、忌避剤容器１０の構成を示す。忌避剤容器１０は、第１シート１１、第２シート１２、及び２つのシール１３から構成される。
【００２５】
図２に、忌避剤容器を構成する第１シート１１の構成を示す。第１シート１１は、一例として、高さ１３５ｍｍ及び幅８０ｍｍの矩形状を有する。第１シート１１の外縁には、第２シート１２に貼り合わせるためのシール部材１１ａが設けられている。シール部材１１ａは、第１シート１１の上端について１０ｍｍ、下端及び側端について５ｍｍの幅を有する。なお、第１シート１１及びそのシール部材１１ａの形状は、忌避剤２０を収容することができれば任意に定めることができる。
【００２６】
第１シート１１には、その上端中央に１つの吊下穴１１ｂが形成されている。吊下穴１１ｂの孔部の大きさは、一例として、直径１０ｍｍとする。吊下穴１１ｂは、忌避剤容器１０を設置個所に掛止する等により設置するのに利用される。また、第１シート１１には、図面上下方向のほぼ中央に図面左右方向に並ぶ３つの孔部１１ｃ、及び３つの孔部１１ｃと下端の間に１つの孔部１１ｄが形成されている。これらの孔部１１ｃ，１１ｄの大きさは、一例として、直径５ｍｍとする。孔部１１ｃ，１１ｄは、後述するように、第１シート１１が第２シート１２とともに忌避剤容器１０を構成した際に、その内部空間を外部空間に繋ぎ、内部空間に収容された忌避剤２０がそれらを介して容器外に蒸散するための通気孔である。
【００２７】
第２シート１２は、第１シート１１と同じ矩形状を有し、同じ位置に同じ大きさの吊下穴及び孔部が設けられている。第２シート１２の外縁にも、第１シート１１に貼り合わせるためのシール部材１２ａが設けられている。シール部材１２ａの大きさ及び形状は、第１シート１１のシール部材１１ａと同じである。
【００２８】
なお、第２シート１２には孔部を設けなくてもよい。後述のように第１シートの孔部１１ｃ，１１ｄから忌避剤を拡散させて使用できる。
【００２９】
第１及び第２シート１１，１２として、例えば、ポリプロピレン、ポリエステル等の合成樹脂フィルム、又はさらにアルミ箔が積層加工（ラミネート加工）されたフィルムを採用することができる。なお、忌避剤を長期にわたって密封することができればいずれの素材を採用してもよい。
【００３０】
図３（Ａ）及び（Ｂ）に、それぞれ、シール１３の表面及び裏面を示す。シール１３は、一例として、高さ２５ｍｍ及び幅７０ｍｍの矩形状を有する。シール１３の上端には長さ５ｍｍの２つのスリット１３ｄが入れられている。これを利用して、シール１３を後述するように庇の形に成形することができる。図３（Ｂ）より分かるように、シール１３の裏面は、上端の２つのスリット１３ｄの間の中央部１３ａ、中央部１３ａを幅方向に挟む２つの第１付着部１３ｂ、及び残りの第２付着部１３ｃを含む。中央部１３ａ、２つの第１付着部１３ｂ、及び第２付着部１３ｃは、粘着剤が塗布され、第１シート１１の表面に着脱可能に貼り付けることができる。ここで、中央部１３ａ、第１付着部１３ｂ及び第２付着部１３ｃは、同じ粘着剤により第１シート１１の表面に粘着している。
【００３１】
シール１３として、第１及び第２シート１１，１２と同様に、ポリプロピレン、ポリエステル等の合成樹脂フィルム、又はさらにアルミ箔が積層加工（ラミネート加工）されたフィルムを採用することができる。なお、孔部１１ｃ，１１ｄを塞いで忌避剤を長期にわたって密封することができ、且つ、後述するように中央部１３ａと２つの第１付着部１３ｂのそれぞれとの間を通る２つの線１３ｆ（図４に示す破線）に沿って曲げることができれば、いずれの素材を採用してもよい。
【００３２】
図４（Ａ）〜（Ｃ）に、シール１３を用いて庇を組み立てる方法を示す。第１シート１１からシール１３を剥離し、図４（Ａ）に示すように、線１３ｅに沿ってシール１３の下部を上方（矢印の方向）に折り曲げる。図４（Ｂ）に示すように、線１３ｆに沿ってシール１３の両端を下方（矢印の方向）に折り曲げる。それにより、図４（Ｃ）に示すように、シール１３が庇の形に成形される。
【００３３】
忌避剤容器１０は、第１及び第２シート１１，１２、及び２つのシール１３から形成される。第１及び第２シート１１，１２の内面を互いに対向し、４辺で互いに対向するシール部材１１ａ，１２ａの３辺をヒートシール（熱融着）する。融着されていない１辺から忌避剤２０を挿入した後に、該１辺をヒートシール（熱融着）する。袋状の容器が形成される。それぞれ２つのシール１３を第１及び第２シート１１，１２の表面に貼り付けて、孔部を塞ぐ。それにより、忌避剤２０が、容器内に密封される。
【００３４】
忌避剤容器１０の使用方法について説明する。以下、第１シート１１に貼り付けられたシール１３を剥離するものとして説明するが、第２シート１２の貼り付けられたシール１３を剥離してもよい。吊下穴１１ｂにより支柱等に掛けられた忌避剤容器１０の、支柱等に面しない側のシート（第1シート又は第２シート）を剥離すればよい。
【００３５】
まず、図５（Ａ）に示すように、孔部１１ｃを塞ぐシール１３を剥離する。次に、先述の通り、シール１３を庇の形に成形する。次に、図５（Ｂ）に示すように、シール１３をその庇の形を維持して、中央部１３ａ及び第１付着部１３ｂを第１シート１１の表面の孔部１１ｃの直上に貼り付ける。それにより、図６に示すように孔部１３ｂの上に庇が形成される。最後に、吊下穴１１ｂを利用して掛止める等により、上端を上に向けて忌避剤容器１０を目的の場所に設置する。
【００３６】
シール１３によって形成される庇の横幅は、孔部１１ｃの横幅（左端と右端の孔の間隔）よりも広い。複数の孔部（本実施例では１１ｃ及び１１ｄ）を水平方向に設けて別々のシールを貼り付ける場合には、孔部間の距離を庇の横幅以上にする必要があり、設計として不自由である。垂直方向に設けることが好ましい。
【００３７】
なお、図７に示すように、もう１つのシール１３を剥離し、同様に庇の形に成形して、第１シート１１の表面に貼り付けてもよい。これにより、蒸散する忌避剤２０の量を増量することができる。かかる増量については、実施例２において説明する。
【００３８】
以上詳細に説明したように、本実施例の忌避剤容器１０は、忌避剤２０が収容される内部空間を外部空間に繋ぐ複数の孔部１１ｃ，１１ｄが設けられた第１シート１１、第１シートにシールされて袋体を形成する第２シート１２、第１シート１１の孔部１１ｃ，１１ｄを塞ぐ２つのシール１３から構成される。ここで、シール１３は、第１シート１１の孔部１１ｃ，１１ｄの上に付着される中央部１３ａ、中央部１３ａを挟み、第１シート１１の表面に着脱可能に付着する２つの第１付着部１３ｂ、及び第１シート１１の表面に付着して孔部１１ｃ，１１ｄを塞ぐ第２付着部１３ｃを含み、中央部と２つの第１付着部のそれぞれとの間で曲げ可能である。シール１３は、忌避剤２０を使用しない状態において、第２付着部１３ｃを第１シート１１の外表面に付着することで孔部１１ｃ，１１ｄを塞いで忌避剤２０を密封し、使用する際に、第２及び第１付着部１３ｃ，１３ｂを剥離し、２つの線に沿って曲げることで、中央部１３ａに対して２つの第１付着部１３ｂのそれぞれを含む両端を孔部１１ｃ，１１ｄに向けて曲げ、その状態を維持して中央部１３ａ及び第１付着部１３ｂを第１シート１１の表面に付着することで、シール１３を孔部１１ｃ，１１ｄの庇として使用することができる。これにより、忌避剤容器１０の孔部１１ｃ，１１ｄの上に庇が設けられることで、孔部を介して容器内に雨水等が入り込むことがなくなる。
【００３９】
なお、本実施例では、孔部１１ｃ，１１ｄを含む２列の孔部を第１シート１１の上下方向（図１等参照）に設けたが、上下方向に３列以上の孔部を設けてもよい。これに合わせて、庇の形に成形可能なシール１３を第１シート１１に貼り付けてもよい。それにより、適当数のシール１３を剥離してその適当数の孔部を開けることで、孔部から散布される忌避剤２０の量を調整することができるとともに、剥離した適当数のシール部材をそれぞれ開けられた孔部の庇として使用することができる。また、逆に、１列の孔部のみを設けてもよい。また、１つの列に任意の数の孔部を設けてもよい。
【００４０】
また、シール１３の中央部１３ａは、粘着力の強い粘着剤を塗布して、第１及び第２付着部１３ｂ，１３ｃより強く第１シート１１の表面に付着することとしてもよい。それにより、簡易に、シール１３を第１シート１１の表面に付着するとともに、中央部１３ａを表面に付着したまま、第１及び第２付着部１３ｂ，１３ｃを剥離し、第２付着部１３ｃを再度表面に付着することができる。
【００４１】
また、シール１３の中央部１３ａを第１シート１１の表面にヒートシール、接着などにより第１及び第２シート１１，１２に付着してもよい。
【実施例２】
【００４２】
本実施例は、中央部及び第１付着部においてシール部材の両面が本体の外表面に付着し、第２付着部においてシール部材の片面のみが本体の外表面に付着するようなシール１３を用いるものである。他の点は実施例１と同様であり、説明を省略する。
【００４３】
図８（Ａ）及び（Ｂ）に、それぞれ、シール１３の表面及び裏面を示す。図８（Ｂ）に示すシール１３の裏面は、実施例１と同様である。上端の２つのスリット１３ｄの間の中央部１３ａ、中央部１３ａを幅方向に挟む２つの第１付着部１３ｂ、及び残りの第２付着部１３ｃを含み、中央部１３ａ、２つの第１付着部１３ｂ、及び第２付着部１３ｃは、粘着剤が塗布され、第１シート１１の表面に着脱可能に貼り付けることができる。
【００４４】
図８（Ａ）に示すシール１３の表面は、裏面と同様に中央部１３ａ’、 中央部１３ａ’を幅方向に挟む２つの第１付着部１３ｂ’、及び残りの第２付着部１３ｃ’を含み、中央部１３ａ’及び２つの第１付着部１３ｂ’は、粘着剤が塗布され、第１シート１１の表面に着脱可能に貼り付けることができる。第２付着部１３ｃ’には粘着剤が塗布されていない。中央部１３ａ’及び２つの第１付着部１３ｂ’に粘着剤が塗布されている点が、表面に粘着剤が塗布されていない実施例１と相違する。
【００４５】
図９に、シール１３を用いて組み立てられる庇を示す。組み立てる方法は実施例１と同様であるが、第１シート１１からシール１３を剥離した後、シール１３を裏返して、実施例１と同様に（図４に示すように）庇を成形する。
【００４６】
成形された庇は、粘着剤の塗布されたシール１３の表面の中央部１３ａ’及び２つの第１付着部１３ｂ’を、第１シート１１の表面に貼り付けることができる。貼り付けられた庇は、粘着剤の塗布された第２付着部１３ｃが上側にあり、粘着剤の塗布されていない第２付着部１３ｃ’が下側にある。忌避剤を蒸散させての使用中に、人や獣の接触、強風、その他の理由によって庇が第１シート１１に押し付けられてしまっても、粘着剤の塗布されていない第２付着部１３ｃ’が第１シート１１に接触するので粘着剤によって庇が貼りついて孔部を閉鎖してしまうこと（忌避剤の蒸散を止めてしまうこと）がない。
【００４７】
以上詳細に説明したように、本実施例の忌避剤容器１０は、粘着剤の塗布されていない第２付着部１３ｃ’が庇の下側にあり、人や獣の接触、強風、その他の理由によって忌避剤の蒸散が止まってしまうことがない。
【実施例３】
【００４８】
実施例１及び２に示した忌避剤容器を使用して、忌避剤を効率的に用いる方法を説明する。
【００４９】
忌避剤容器１０には忌避剤が入っている。害獣が農作物等に寄りつくのを防止するために、田畑の周囲に柵を設け、柵の支柱に３〜６ｍの間隔で釘を打ち、忌避剤容器１０の吊下穴１１ｂ（１２ｂ）を釘に通して、忌避剤の入った忌避剤容器１０を配置する。
【００５０】
孔部１１ｄに付着されたシールを庇の形に成形し、図６に示す状態とする。これにより、忌避剤の蒸散が開始される。図１０（Ａ）に、忌避剤の薬効成分の単位時間当たりの蒸散量（以下、単に「蒸散量」と言う。）を蒸散量グラフ３０として示す。
【００５１】
蒸散に伴い忌避剤容器１０内の薬効成分の残量が減少するため、蒸散量グラフ３０は指数関数的に減少し、時間が経つと忌避効果を有する最低蒸散量ｍよりも小さくなる。ここで最低蒸散量ｍの値は、具体的な薬効成分、忌避剤容器１０の配置された間隔に依存して定まる。
【００５２】
最低蒸散量ｍよりも小さくなる前に、孔部１１ｃに付着されたシールを庇の形に成形し、図７に示す状態とする。ここで、蒸散量グラフ３０が最低蒸散量ｍに達する時間ｄは、孔部１１ｄの大きさ及び位置に依存する。
【００５３】
開始直後の蒸散量Ｍを、例えばＭ＝３ｍとすれば、蒸散量が開始時の３分の１になるには、通常は数週間、少なくとも5日を要する。ｄは５日よりも大きい。
【００５４】
図１０（Ｂ）に、蒸散量グラフ３０を示す。孔部１１ｃに付着されたシールが剥離されたことにより、蒸散量が増加し、蒸散量が回復する。最低蒸散量ｍよりも大きな蒸散量で薬効成分を蒸散する期間はＥとなる。
【００５５】
以下、最初から図７に示す状態で使用する場合との対比を示す。図１０（Ｃ）に、孔部１１ｄに付着されたシールを剥離せず孔部１１ｃに付着されたシールのみを剥離した場合の蒸散量グラフ３０を示す。
【００５６】
図１０（Ｄ）に、孔部１１ｃ及び１１ｄに付着されたシールの両方を最初から剥離した場合の蒸散量グラフ３０を示す。蒸散開始直後に過剰な量の薬効成分が蒸散され、最低蒸散量ｍよりも大きな蒸散量で薬効成分を蒸散する期間はeとなる。
【００５７】
Ｅ＞ｅであるので、２枚のシールを開始時に剥離せず、時間間隔を持って剥離する方が忌避剤を効率的に用いることのできることがわかる。
【００５８】
以上詳細に説明したように、本発明の忌避方法は、複数のシール１３を順次に剥離して庇の形に成形することにより、忌避剤を効率的に用いることができる。通常は、1枚のシール１を剥離することと次のシール１３を剥離することとの間で、５日以上の間隔を持つことができる。
【産業上の利用可能性】
【００５９】
忌避剤が通る孔部の上に簡易に庇を設けることができ雨水の侵入を防ぐことのできる忌避剤容器、及びその忌避剤容器を使用して忌避剤を効率的に用いることのできる忌避方法であり、多くの農業従事者による利用が考えられる。
【符号の説明】
【００６０】
１０    忌避剤容器
１１    第１シート
１１ａ  シール部材
１１ｂ  吊下穴
１１ｃ  孔部
１１ｄ  孔部
１２    第２シート
１２ａ  シール部材
１２ｂ  吊下穴
１３    シール
１３ａ  中央部
１３ｂ  第１付着部
１３ｃ  第２付着部
１３ｄ  スリット
１３ｅ  線
１３ｆ  線
２０    忌避剤
３０    蒸散量グラフ
【図１】
2016137932.tif 000003
【図２】
2016137932.tif 000004
【図３】
2016137932.tif 000005
【図４】
2016137932.tif 000006
【図５】
2016137932.tif 000007
【図６】
2016137932.tif 000008
【図７】
2016137932.tif 000009
【図８】
2016137932.tif 000010
【図９】
2016137932.tif 000011
【図１０】
2016137932.tif 000012